(57)【要約】【課題】簡易な方法で正確にピント位置を表示する光学機器を提供する。【解決手段】撮像光学系のフォーカス基準位置とフォーカスレンズの位置との対応情報が予め記憶されたメモリ２３を備えるカメラシステムを設ける。カメラシステムが、操作手段による操作に応じて駆動されるフォーカスレンズの位置と、メモリ２３に記憶された対応情報とに基づいて、ピント位置を算出する。そして、カメラシステムが、算出されたピント位置を表示する。【選択図】図１
2016090834.tif 000002
【特許請求の範囲】
【請求項１】
撮像光学系のフォーカス基準位置とフォーカスレンズの位置との対応情報が予め記憶された記憶手段と、
操作手段による操作に応じて駆動されるフォーカスレンズの位置と、前記記憶手段に記憶された対応情報とに基づいて、ピント位置を算出する算出手段と、
前記算出されたピント位置を表示する表示手段とを備える
ことを特徴とする光学機器。
【請求項２】
前記フォーカス基準位置は、少なくとも無限遠を含む複数の位置である
ことを特徴とする請求項１に記載の光学機器。
【請求項３】
前記算出手段は、前記操作手段による操作に応じて駆動されるフォーカスレンズの位置と、前記記憶手段に記憶された前記対応情報と、前記撮像光学系の温度とに基づいて、前記ピント位置を算出する
ことを特徴とする請求項１または請求項２に記載の光学機器。
【請求項４】
前記撮像光学系の温度を検知する第１の検知手段を備える
ことを特徴とする請求項３に記載の光学機器。
【請求項５】
前記算出手段は、前記操作手段による操作に応じて駆動されるフォーカスレンズの位置と、前記記憶手段に記憶された前記対応情報と、前記光学機器の分光感度とに基づいて、前記ピント位置を算出する
ことを特徴とする請求項１または請求項２に記載の光学機器。
【請求項６】
前記光学機器の分光感度を取得する取得手段を備える
ことを特徴とする請求項５に記載の光学機器。
【請求項７】
前記算出手段は、前記操作手段による操作に応じて駆動されるフォーカスレンズの位置と、前記記憶手段に記憶された前記対応情報と、被写体の光源特性とに基づいて、前記ピント位置を算出する
ことを特徴とする請求項１または請求項２に記載の光学機器。
【請求項８】
前記被写体の光源特性を検知する第２の検知手段を備える
ことを特徴とする請求項７に記載の光学機器。
【請求項９】
請求項１乃至８のいずれか１項に記載の光学機器として機能する撮像装置。
【請求項１０】
レンズ鏡筒とカメラ本体とを備えるカメラシステムであって、
前記レンズ鏡筒は、
フォーカスレンズを含む撮像光学系と、
前記フォーカスレンズを駆動する操作をするための操作手段とを備え、
前記カメラ本体は、
前記撮像光学系のフォーカス基準位置とフォーカスレンズの位置との対応情報が予め記憶された記憶手段と、
前記操作手段による操作に応じて駆動されるフォーカスレンズの位置と、前記記憶手段に記憶された対応情報とに基づいて、ピント位置を算出する算出手段と、
前記算出されたピント位置を表示する表示手段とを備える
ことを特徴とするカメラシステム。
【請求項１１】
撮像光学系のフォーカス基準位置とフォーカスレンズの位置との対応情報が予め記憶された記憶手段を備える光学機器の制御方法であって、
操作手段による操作に応じて駆動されるフォーカスレンズの位置と、前記記憶手段に記憶された対応情報とに基づいて、ピント位置を算出する算出工程と、
前記算出されたピント位置を表示する表示工程とを有する
ことを特徴とする制御方法。
【発明の詳細な説明】
【技術分野】
【０００１】
本発明は、デジタルカメラやデジタルビデオカメラ等のレンズにおける、ピント位置情報の表示方法及び表示装置の制御方法に関するものである。
【背景技術】
【０００２】
ピント位置を表示する撮像装置等の光学機器が提案されている。ピント位置は、ピントの合う位置であり、より詳細には、レンズによって撮像素子面と光学的に共役にある位置である。撮像装置は、ズームレンズ位置及びフォーカスレンズ位置に基づいて、ピント位置を算出する。
【０００３】
特許文献１は、ピント位置を交換レンズに設けた表示部に表示するカメラシステムを開示している。また、特許文献２は、ピント距離を表示する目盛を有する距離表示筒を備え、固定筒に対してカム筒を相対回転させて、レンズ保持筒を光軸に沿って相対移動させることでピント調節するレンズ鏡筒を開示している。
【先行技術文献】
【特許文献】
【０００４】
【特許文献１】特開２００７−７２４０７号公報
【特許文献２】特開２００９−４２６６８号公報
【発明の概要】
【発明が解決しようとする課題】
【０００５】
特許文献１が開示するカメラシステムでは、個別のレンズ鏡筒のばらつきや、環境変化等に応じたカメラ情報の変化によって、正確にピント位置を表示できない。また、特許文献２が開示するレンズ鏡筒では、構造が複雑化する。また、このレンズ鏡筒では、環境変化等を吸収することができず、正確にピント位置を表示することができない。
本発明は、簡易な方法で正確にピント位置を表示する光学機器の提供を目的とする。
【課題を解決するための手段】
【０００６】
本発明の一実施形態の光学機器は、撮像光学系のフォーカス基準位置とフォーカスレンズの位置との対応情報が予め記憶された記憶手段と、操作手段による操作に応じて駆動されるフォーカスレンズの位置と、前記記憶手段に記憶された対応情報とに基づいて、ピント位置を算出する算出手段と、前記算出されたピント位置を表示する表示手段とを備える。
【発明の効果】
【０００７】
本発明の光学機器によれば、簡易な方法で正確にピント位置を表示することが可能となる。
【図面の簡単な説明】
【０００８】
【図１】光学機器の構成を示す図である。
【図２】カメラシステムと、フォーカス基準位置とを説明する図である。
【図３】フォーカス基準位置をメモリに記録するときの構成例を示す図である。
【図４】フォーカス基準位置の記録とピント位置の表示を説明する図である。
【図５】光学機器の構成を示す図である。
【図６】ピント位置の表示処理を説明する図である。
【発明を実施するための形態】
【０００９】
（実施例１）
図１は、本実施形態の光学機器の構成を示す図である。
図１に示す光学機器は、レンズ鏡筒とカメラ本体とを備えるカメラシステムである。なお、本発明の光学機器は、レンズ鏡筒単体またはレンズ鏡筒を備える交換レンズとしても実現できるし、カメラ本体からなる撮像装置単体としても実現できる。
【００１０】
図１（Ａ）は、カメラシステムの中央断面図である。
１は撮像装置（カメラ本体）である。２はカメラ本体１に装着するレンズ鏡筒である。３は撮影光学系を形成するレンズである。４は撮影光学系の光軸である。６は撮像素子である。９はカメラ本体１に設けられた背面表示装置である。１１はカメラ本体１とレンズ鏡筒２の電気接点である。
【００１１】
１２はレンズ鏡筒２に設けられたレンズシステム制御部である。１４はクイックリターン機構である。１５は焦点状態検出手段である。１６はカメラ本体１に設けられたファインダ表示手段である。２０はフォーカスレンズである。２１は操作手段である。２３は記憶手段として機能するメモリである。２４は温度計である。２５はレンズ鏡筒２に設けられた表示手段である。２６はフォーカスレンズの位置を検出するレンズ位置検知手段である。
【００１２】
図１（Ｂ）について説明する。図１（Ｂ）に示すカメラシステムは、撮像系、画像処理系、記録再生系、制御系を有する。撮像系は、撮影光学系３、撮像素子６、クイックリターン機構１４を備える。クイックリターン機構１４は光路分割を行うハーフミラーを備える。
【００１３】
また、画像処理系は、画像処理部７を備える。また、記録再生系は、メモリ手段８、表示手段９を備える。制御系は、カメラシステム制御回路５、操作検出回路１０、レンズシステム制御手段１２、レンズ駆動手段１３、および焦点状態検出手段１５を備える。レンズ駆動手段１３は、焦点レンズ、ブレ補正レンズ、絞りなどを駆動することができる。
【００１４】
撮像系は、物体からの光を、撮影光学系３を介して撮像素子６の撮像面に結像する光学処理系である。撮像系は、焦点状態検出手段１５が出力する、焦点状態の検出信号に基づいて、撮影光学系３の状態をレンズ駆動手段１３によって変化させ、適当なピント位置を調整する、ＡＦ動作を行う。マニュアルフォーカスを行う場合には、操作量検出手段２２が、レンズ鏡筒２に設けられた操作手段２１の操作量を検知し、レンズシステム制御手段１２が、検知された操作量に応じてレンズ駆動手段１３を介してフォーカスレンズ２０を駆動する。その際に、レンズシステム制御手段１２は、レンズ位置検知手段２６の信号などを参照して、レンズ鏡筒２のピントが合っている面を表示手段２５に提示する（ピント位置を表示する）。この表示動作は、本実施形態の要部であり、後述する。
【００１５】
また、レンズシステム制御手段１２は、撮像素子６または不図示の測光センサの信号に基づいて露光状態を設定する、ＡＥ動作を行う。露光状態とは、撮像素子６への露光時間、撮影光学系３の絞り値、撮像素子６の信号の増幅率などのことである。
【００１６】
画像処理部７は、Ａ／Ｄ変換器、ホワイトバランス回路、ガンマ補正回路、補間演算回路等を有しており、記録用の画像を生成することができる。メモリ手段８は実際の記憶部に加えて、記録に必要な処理回路を備えている。メモリ手段８は、記録部へ出力を行うとともに、背面表示手段９に出力する像を生成、保存する。また、メモリ手段８は、予め定められた方法を用いて画像、動画、音声などの圧縮を行う。図１（Ｂ）においては、メモリ手段８は概念的に書かれており、外部から挿入される記憶メディアに相当するように見えるが、揮発／不揮発メモリを含んでいる。
【００１７】
カメラシステム制御回路５は、撮像の際のタイミング信号などを生成して出力する。カメラシステム制御回路５は、外部操作に応じて、撮像系、画像処理系、記録再生系をそれぞれ制御する。例えば、不図示のシャッターレリーズ釦が押下げられ、この押下げを操作検出回路１０が検出すると、カメラシステム制御回路５は撮像素子６の駆動、画像処理部７の動作、メモリ手段８の圧縮処理などを制御する。さらに、カメラシステム制御回路５は、背面表示手段９に指示して、液晶モニタ等に情報表示を行う。
【００１８】
次に、制御系による光学系の調整動作について説明する。カメラシステム制御回路５は、画像処理部７から出力される画像信号と、焦点状態検出手段１５から出力される焦点状態の検出信号に基づいて、焦点位置、絞り位置を求める。カメラシステム制御回路５は、電気接点１１を介してレンズシステム制御手段１２に指示することで、レンズ駆動手段１３を制御させる。また、レンズシステム制御手段１２は、不図示の手ブレ検出センサが検出する、カメラ本体１の振れを示す振れ信号に基づいて、レンズ駆動手段１３を介してブレ補正レンズを適切に制御する。
【００１９】
図１（Ａ）に示すカメラシステムでは、光学ファインダ１６を介して被写体観察を行うことや、撮像素子６で電子画像を撮影しながらファインダ表示手段である電子ビューファインダ１９での被写体観察を行うこと（いわゆるライブビュー撮影）が可能である。また、マニュアルフォーカスにおいては、ユーザが、レンズ鏡筒２に設けられた表示手段２５を観察しながらピント調整動作を行うこともできる。
【００２０】
図２は、カメラシステムと、フォーカス基準位置とを説明する図である。
図２（Ａ）は、カメラシステムを上から見た状態を示す。図２（Ｂ）は、ピント面の位置とフォーカスレンズ位置との関係を示す。ピント面の位置は、ピントの合う位置である。以下の説明ではピント面の位置をピント位置とも記述する。
【００２１】
図２（Ａ）では、図１（Ｂ）に示す構成要素と同じものには同じ番号を付している。図２（Ａ）において、４０は固定指標であり、表示手段２５に提示された情報を読み取る位置を指示する。表示手段２５に、レンズ鏡筒２のピント位置が表示される。図２（Ａ）に示す例では、固定指標４０と対向している３．０（単位：ｍ）にレンズ鏡筒２のピント面があることが表示される。表示手段２５にレンズ鏡筒２のピント位置を提示することで、マニュアルフォーカス調整を容易に行うことが可能となる。すなわち、本実施形態の光学機器によれば、簡易な方法で表示手段２５に正確なピント位置を表示することができる。
【００２２】
図２（Ｂ）の横軸は、フォーカスレンズ位置を示す。この例では、フォーカスレンズ位置は、焦点距離が５０ｍｍの理想レンズのフランジバック（像面からの距離）である。縦軸は、ピント位置を示す。太い実線で示す曲線５０は、レンズａについてのピント位置とフォーカスレンズ位置との対応情報を示す。一点鎖線で示す曲線５１は、レンズｂについてのピント位置とフォーカスレンズ位置との対応情報を示す。レンズａ，ｂは異なる個体であることを示すために便宜的につけた記号である。レンズａ，ｂのように個体による差は製造のばらつきなどによって生じる。この差は一般的には図２（Ｂ）に示す例ほど大きくないが、差があることを分かりやすくするために図２（Ｂ）では差を強調して図示した。
【００２３】
理想レンズでは、１／ａ＋１／ｂ＝１／ｆで書かれる、いわゆる結像公式によってフランジバック長さを決めることにより、レンズ鏡筒２のピント面の位置が一意に導かれる。これをレンズａの場合として曲線５０として図示した。これに対して実際のレンズは製造誤差などにより後側主点の位置がずれることなどがある。この場合、フランジバックとレンズ鏡筒２のピント面の位置との関係が結像公式とはずれる。フランジバックが１ｍｍ程度長くなった場合のピント位置とフォーカスレンズ位置との関係を示す線が曲線５１である。
【００２４】
図２（Ｂ）を参照すると、レンズ鏡筒は製造誤差などにより個体でばらつきがあることがわかる。また、レンズ鏡筒２のピント位置を求めるためには、フォーカスレンズ位置と、フォーカスレンズ位置とピント位置との対応情報が必要であることがわかる。
【００２５】
本実施形態では、フォーカスレンズの位置は、レンズ位置検知手段２６から得られる。レンズ位置検知手段２６は、例えばポテンショメータ等で構成され、レンズの位置を取得する。これにより、レンズシステム制御手段１２に設けられたピント位置算出手段（不図示）は、図２（Ｂ）に示した横軸において、現在のフォーカスレンズ位置を決めることができる。また、本実施形態では、フォーカスレンズ位置とピント位置との対応情報（例えば、曲線５０、５１が示す対応情報）が予めメモリ２３に記憶されている。対応情報に含まれるフォーカスレンズ位置を、以下ではフォーカス基準位置とも記述する。フォーカス基準位置は、１つでも複数でもよい。例えば、フォーカスレンズ基準位置は、無限遠、または少なくとも無限遠を含む複数のフォーカスレンズ位置である。ピント位置算出手段は、メモリ２３内の対応情報に基づいて、現在のフォーカスレンズ位置に対応するピント位置を算出する。これは、図２（Ｂ）の縦軸の値を求めることに対応する。
【００２６】
図３は、フォーカス基準位置を対応情報内のフォーカスレンズ位置としてメモリに記録するときの構成例を示す図である。
図３に示す構成要素のうち、図１と同じ機能を有するものには同じ番号を付した。６０は光源である。６１は工具レンズである。７１は調整工具である。７２は調整工具７１に備えられたセンサである。７３は調整工具７１に設けられた制御器である。７４は制御器７３内に設けられた演算器である。
【００２７】
フォーカス基準位置をメモリに記録するときは、撮像光学系３に入射する光束に対して光源６０の信号のみが支配的になるように適当に遮光する。この状態で光源６０を点灯させる。工具レンズ６１は光源６０の光学的な距離を調整するためのものである。例えば光源６０と工具レンズ６１の間隔を工具レンズ６１の焦点距離に等しくなるように調整すれば工具レンズ６１はいわゆるコリメータレンズとして機能し、射出する光束は平行光線となる。この時、レンズ鏡筒２から見た光源６０は無限遠に存在するのと等価になる。光源６０と工具レンズ６１の間隔を調整することで光源６０を有限の距離に置きながら、鏡筒２から見た光源６０の距離を調整することが可能となる。
【００２８】
フォーカス基準位置としたい距離（例えば無限遠）に光源６０が存在するように工具レンズ６１を調整する。センサ７２は、図１に示したカメラの撮像素子と同じ位置に設けられている。この状態で制御器７３からレンズシステム制御に指令が送られフォーカスレンズ２０が適当な位置に駆動される。その時のセンサ７２の信号を取得し、これを複数回繰り返す。制御器７３で予め設定された位置での信号の取得が完了したら演算器７４において、複数のフォーカスレンズ位置とセンサ信号の対応関係から、フォーカス基準位置に最もピントが合うフォーカスレンズ位置を算出する。センサを画像センサで校正した場合には、演算にはよく知られたコントラストに基づくオートフォーカスの技術を用いることができる。画像とコントラストに基づく方法を示したが、簡単な光学系を挿入して、いわゆる位相差に基づくオートフォーカスの技術を用いることも可能である。
【００２９】
図４は、実施例１における、フォーカス基準位置をメモリに記録する処理と、フォーカス基準位置を利用してピント位置を表示する処理とを説明する図である。
図４（Ａ）は、フォーカス基準位置をメモリに記録するときの動作処理を示す。
ステップＳ１００で動作が開始する。ステップＳ１０１において、レンズ鏡筒２に光を入射させる。これは、図３において光源６０の光が支配的になるようにするとともに、工具レンズ６１を調整したのちに光源６０を点灯させることに対応する。
【００３０】
次に、ステップＳ１０２において、フォーカスレンズを適当な間隔で駆動する。これは、図３において、制御器７１の信号に基づいてフォーカスレンズ２０が駆動されることに対応する。続いて、ステップＳ１０３において、制御器７１がセンサ７２から信号を取得する。
【００３１】
次に、ステップＳ１０４において、制御器７１が、信号の取得完了を判断する。信号がすべて取得されている場合は、ステップＳ１０５に進み、信号の取得が完了していない場合は、ステップＳ１０２に戻って、フォーカスレンズ２０の位置を変えながらさらに信号を取得する。
【００３２】
ステップＳ１０５において、制御器７１が、最良のピント位置を決める。図３では、演算器７４において複数のフォーカスレンズ位置とセンサ信号との対応関係から、フォーカス基準位置に最もピントが合うフォーカスレンズ位置を算出することに対応する。
【００３３】
ステップＳ１０６、Ｓ１０７において、制御器７３が、ステップＳ１０５で求めたフォーカスレンズ位置と、フォーカス基準位置とをメモリ２３へ書き込む。これは、図２（Ｂ）において曲線５０，５１上の１つの点を取得してメモリ２３に記録することに対応する。
【００３４】
ステップＳ１０８において、制御器７３が、すべてのフォーカス基準位置での動作が完了したかを判断する。すべてのフォーカス基準位置での動作が完了している場合は、ステップＳ１０９に進んで処理が終了する。動作が完了していない場合は、ステップＳ１０１に戻って、別のピント位置をフォーカス基準位置として動作を繰り返す。
【００３５】
フォーカス基準位置は必ずしも１点である必要はなく、複数のピント位置での最良となるフォーカスレンズ位置を取得して、例えばルックアップテーブルのようにして用いてもよい。さらには数点で求めておいて、適当な曲線あてはめを適用してもよい。
【００３６】
また、フォーカス距離の基準として設計上定義される距離は、一般的には無限遠となるので、本実施形態で適用するフォーカス基準位置も、少なくとも無限遠を含むようにすると、他のフォーカス位置を演算する場合に都合が良い。
【００３７】
フォーカス基準位置をメモリに記録する動作は、フォーカス基準位置を利用してピント位置を表示する動作に先立って行われる必要がある。例えば、工場で生産された後の調整工程などで行えばよい。
【００３８】
図４（Ｂ）は、フォーカス基準位置を用いてピント位置を表示する動作処理を示す。
ステップＳ２００において動作が開始する。ステップＳ２０１、Ｓ２０２において、レンズシステム制御手段１２が、メモリ２３からフォーカス基準位置に関するデータを取得する。続いて、ピント位置算出手段が、レンズ位置検知手段２６を用いてフォーカスレンズ２０の位置を算出する。
【００３９】
次に、ステップＳ２０４において、ピント位置算出手段が、ステップＳ２０１で読み出したフォーカス基準位置に関するデータとレンズ位置検知手段２６から得られたフォーカスレンズ２０の位置とに基づいて、ピント位置を算出する。例えば、図２（Ｂ）に示す曲線と横軸の位置とに基づいて、縦軸の位置であるピント位置が算出される。
【００４０】
ステップＳ２０５において、レンズシステム制御手段１２が、ステップＳ２０４で計算された位置にレンズ鏡筒２のピント面が存在することを表示手段２５に表示する。初期においては表示を点灯する。続いて、ステップＳ２０６において、レンズシステム制御手段１２が、操作量検出手段２２によって操作が検知されたかを判断する。
【００４１】
次に、ステップＳ２０７において、操作量検出手段２２が操作量を検知する。これにより、マニュアルフォーカスにおいてフォーカス操作のための操作部を操作した量（回転量など）が検出される。
【００４２】
次に、ステップＳ２０８において、レンズシステム制御手段１２が、ステップＳ２０７で検出された操作量に応じてレンズ駆動手段１３を介してフォーカスレンズ２０を駆動する。これにより、いわゆるマニュアルフォーカスが実現する。その後、ステップＳ２０３に進み、前述した動作を繰り返す。ステップＳ２０５においてフォーカスレンズが駆動されているので、ステップＳ２０３では別のレンズ位置が検出され、それに伴って表示も適当に更新される。
【００４３】
ステップＳ２０９において、レンズシステム制御手段１２が、電源がＯＦＦにされたかを判断する。電源がＯＦＦにされた場合は、ステップＳ２１０に進む。電源がＯＦＦにされない場合は、ステップＳ２０６に進む。ステップＳ２１０において、レンズシステム制御手段１２が、表示を消し、処理を終了する。
【００４４】
図４（Ｂ）を参照して説明した動作は、ステップＳ２０６およびステップＳ２０９によりいわゆる無限ループを構成しており、ユーザによる操作によって割り込みが発生してステップＳ２０６のＹｅｓ分岐に進み、レンズ駆動と表示の更新がなされる。上述した処理により、簡易な構成で正確なピント位置を表示することが可能となる。
【００４５】
（実施例２）
実施例２のカメラシステムは、レンズ鏡筒２に設けられ、撮像光学系の温度を検知する第１の検知手段である温度計２４を用いる。撮像光学系３は温度によって膨張、収縮するが、各面の曲率などにより温度の影響の受け方が異なる。その結果、温度によって、焦点距離の変動や最良のピント位置が変化する。これは、温度によって図２（Ｂ）に示ｓ曲線５０，５１がシフトまたは変形することに対応する。そこで、本実施例では、温度計２４を用いて、ピント位置を算出する。温度計２４は、特に設計上温度の影響を受けやすいレンズ近傍の温度を計測する。
【００４６】
実施例２では、図４（Ｂ）のステップＳ２０３とステップＳ２０４との間に、レンズシステム制御手段１２が、温度計２４によって検知された温度を取得する。そして、ステップＳ２０４において、レンズシステム制御手段１２が、レンズ位置検知手段からのフォースレンズ位置と、メモリ２３から読み出されたフォーカス基準位置に関するデータと、取得した温度とに基づいて、ピント位置を算出する。これにより、温度変化に応じて正確なピント位置を表示することができる。
【００４７】
なお、実施例２において、撮像光学系の温度毎に、フォーカス基準位置とフォーカスレンズ位置との対応情報が予めメモリ２３に記憶されていてもよい。そして、レンズシステム制御手段１２が、温度計２４によって検知された温度に応じた対応情報と、フォーカスレンズ位置とに基づいて、ピント位置を算出するようにしてもよい。
【００４８】
（実施例３）
図５は、実施例３の光学機器の構成を示す図である。
図５中に示すカメラ本体１は、撮影光路中であって撮像素子６の前にフィルタ３０を備えるとともに、光源検知手段３１を備えている。
【００４９】
フィルタ３０は、撮像素子６の感度を調整するために設けられたフィルタである。フィルタ３０として、赤外カットフィルタが用いられる。一般的なデジタルカメラに用いられる撮像素子６は、ＣＣＤまたはＣＭＯＳから構成される。これらの素子は赤外線に対して高い感度がある。しかし、人間の眼には赤外線には感度がないので、人間の視覚特性に合わせるために赤外カットフィルタを用いて予め赤外線を遮断している。一方で、天体写真を撮影するためなどの特殊用途のカメラ本体１においてはフィルタ３０の特性が異なるものがある。すなわち、赤外線も積極的に取り込んで撮影を行う撮像装置も存在する。別の例としては暗視状態になった場合には、赤外カットフィルタを退避させるような撮像装置も存在する。
【００５０】
撮像光学系３は、屈折や回折を利用して被写体像を撮像素子６近傍に結像させているが、屈折や回折の特性は波長によって異なっている。したがって、結像位置がフィルタ３０の特性によって異なる。つまり、フィルタ３０の特性によって、図２（Ｂ）に示した曲線５０，５１がシフトまたは変形する。
【００５１】
レンズ鏡筒２は、様々なカメラ本体１と一体となって機能し得る。本実施例では、レンズシステム制御手段１２が、通信制御手段（不図示）を備え、通信制御手段と電気接点１１を介してカメラ本体１のフィルタ特性（分光感度）を取得する。
【００５２】
実施例３では、図４（Ｂ）のステップＳ２０１の後に、レンズシステム制御手段１２が、撮像装置と通信をして撮像装置の分光感度を取得する。分光感度は、どの波長をどの程度の比率で取得するかを示す。その後、ステップＳ２０４において、レンズシステム制御手段１２は、レンズ位置検知手段からのフォーカスレンズ位置と、メモリ２３からのフォーカス基準位置に関するデータと、撮像装置の分光感度とに基づいて、ピント位置を算出する。
【００５３】
なお、実施例３において、撮像装置の分光感度毎に、フォーカス基準位置とフォーカスレンズ位置との対応情報が予めメモリ２３に記憶されていてもよい。そして、レンズシステム制御手段１２が、撮像装置との通信により取得された分光感度に応じた対応情報と、フォーカスレンズ位置とに基づいて、ピント位置を算出するようにしてもよい。
【００５４】
従来のフィルムカメラにおいては赤外フィルムを用いる場合は赤外フィルム用指標などが用いられて来たが、本実施例によれば、フィルタ特性に対応する指標を別個に表示する必要がなくなり、簡易に正確なピント位置を表示することができる。
【００５５】
（実施例４）
実施例３の光学機器の構成は、図５に示す実施例３の光学機器の構成と同様である。
実施例３では、ファインダ光学系に導かれた光束の一部を利用して被写体の光源特性を検知する第２の検知手段である光源検知手段３１を用いる。現在の多くの一眼レフカメラでは、ファインダ光学系に設けられたピント板で拡散した光の一部を利用して測光を行っている。本実施例では測光部に光源検知を行う機能を備えている。光源検知とは、太陽光、蛍光灯、電球など被写体を照明している光源に関する情報である。光源検知可能な測光センサはカラー化するなど複数の方法が提案されている。
【００５６】
レンズ鏡筒２のピント位置は光の波長によって異なる。また、光源検知の情報には、光源の分光特性に関する情報が含まれている。光源の分光特性は、環境光にどの波長がどの程度の比率で含まれているかを示す。つまり、光源の分光特性によって、図２（Ｂ）に示した曲線５０，５１が、シフトまたは変形する。
【００５７】
実施例４では、図４（Ｂ）のステップＳ２０３とステップＳ２０４との間に、レンズシステム制御手段１２が、撮像装置と通信して光源の分光特性を取得する。その後、ステップＳ２０４において、レンズシステム制御手段１２は、レンズ位置検知手段からのフォーカスレンズ位置と、メモリ２３からのフォーカス基準位置に関するデータと、光源の分光特性とに基づいて、ピント位置を算出する。本実施例によれば、光源の分光特性に応じて正確なピント位置を表示することができる。
【００５８】
なお、実施例４において、光源の分光特性毎に、フォーカス基準位置とフォーカスレンズ位置との対応情報が予めメモリ２３に記憶されていてもよい。そして、レンズシステム制御手段１２が、撮像装置との通信により取得された分光特性に応じた対応情報と、フォーカスレンズ位置とに基づいて、ピント位置を算出するようにしてもよい。
【００５９】
上述した実施例１乃至実施例４のうちの任意の実施例を組み合わせることも可能である。図６は、実施例３と実施例４とを組み合わせた場合のピント位置の表示処理を説明する図である。
図６において、図４（Ｂ）と同じ処理には同じステップ番号を付した。図４（Ｂ）と異なる部分のみ説明する。ステップＳ２０１の後のステップＳ２５１において、レンズシステム制御手段１２が、通信制御手段を利用して撮像装置との通信を行う。この通信において、ステップＳ２５２で示すように撮像装置の分光特性を取得する。この例では、赤外カットフィルタを撮影光路中に進退させないような撮像装置を想定するので、時間とともに撮像装置の分光特性は変化することがない。したがって、ステップＳ２０１の後に１度だけ分光特性を取得するようにした。
【００６０】
また、ステップＳ２０３の後のステップＳ２５３において、レンズシステム制御手段１２が、温度計２４を利用してレンズ鏡筒２の代表的な温度を取得する。また、ステップＳ２５４において、レンズシステム制御手段１２が、通信制御手段を利用して撮像装置との通信を行う。この通信において、ステップＳ２５５で示すように、光源の分光特性を取得する。光源の特性は撮影時に変化し得るので、ステップＳ２５４において取得するように構成した。
【００６１】
ステップＳ２０４において、レンズシステム制御手段１２は、レンズ位置検知手段からのフォーカスレンズ位置と、メモリ２３からのフォーカス基準位置に関するデータと、光源の分光特性と光源の分光特性とに基づいて、ピント位置を算出する。
【００６２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１  カメラ本体
２  レンズ鏡筒
【図１】
2016090834.tif 000003
【図２】
2016090834.tif 000004
【図３】
2016090834.tif 000005
【図４】
2016090834.tif 000006
【図５】
2016090834.tif 000007
【図６】
2016090834.tif 000008